(57)【要約】【課題】ハウジングに対するペグの被接合部の位置を調節する。【解決手段】コネクタ構造が適用されたコネクタ１０は、ハウジング１２と、ペグ１４と、を備えている。ペグ１４は、回路基板に接合される被接合部５４を有している。また、ペグ１４は、被接合部５４がハウジング１２に対して変位可能にハウジング１２に支持されている。【選択図】図１
2019032937.tif 000002
【特許請求の範囲】
【請求項１】
ハウジングと、
回路基板に接合される被接合部を有し、前記被接合部が前記ハウジングに対して変位可能に前記ハウジングに支持されたペグと、
を備えたコネクタ構造。
【請求項２】
前記ペグは、被支持部を含んで構成され、
前記ペグが前記被支持部において前記ハウジングに回動可能に支持されている請求項１記載のコネクタ構造。
【請求項３】
前記ペグは、長手方向の中間部に前記被支持部を有する針状に形成されており、
前記ペグの長手方向一方側の端部が前記被接合部とされ、
前記ペグの長手方向他方側の端部が前記ハウジングから突出している調節力入力部とされている請求項２記載のコネクタ構造。
【請求項４】
前記ハウジングには、前記ペグが挿通されるペグ挿通孔が形成されていると共に、前記ペグの前記ペグ挿通孔への挿通を許容しかつ前記ペグ挿通孔に挿通された前記ペグが該ペグ挿通孔から抜出すことを抑制する抜止部が設けられている請求項１〜請求項３のいずれか１項に記載のコネクタ構造。
【発明の詳細な説明】
【技術分野】
【０００１】
本発明は、コネクタ構造に関する。
【背景技術】
【０００２】
下記特許文献１には、回路基板に取付けられたコネクタが開示されている。このコネクタは、ハウジング（ケース）と、当該ハウジングに取付けられたペグと、を含んで構成されている。そして、ペグの被接合部が回路基板にハンダ付けで接合されることで、コネクタが回路基板に取付けられている。
【先行技術文献】
【特許文献】
【０００３】
【特許文献１】特開２００８−２７６１１号公報
【発明の概要】
【発明が解決しようとする課題】
【０００４】
ところで、ハウジングの成形時の形状及び寸法のバラつきを考慮すると、ハウジングに対するペグの被接合部の位置を調節できることが望ましい。
【０００５】
本発明は上記事実を考慮し、ハウジングに対するペグの被接合部の位置を調節できるコネクタ構造を得ることが目的である。
【課題を解決するための手段】
【０００６】
第１の態様に係るコネクタ構造は、ハウジングと、回路基板に接合される被接合部を有し、前記被接合部が前記ハウジングに対して変位可能に前記ハウジングに支持されたペグと、を備えている。
【発明の効果】
【０００７】
第１の態様に係るコネクタ構造によれば、ハウジングに支持されたペグの被接合部が回路基板に接合される。ここで、ペグは、当該ペグの被接合部がハウジングに対して変位可能となっている。これにより、ハウジングに対するペグの被接合部の位置を調節することができる。
【図面の簡単な説明】
【０００８】
【図１】本実施形態のコネクタを示す斜視図である。
【図２】ハウジングを示す斜視図である。
【図３】図２に示された３−３線に沿って切断したハウジングの断面を拡大して示す拡大断面図である。
【図４】ハウジングのペグ支持部を拡大して示す断面図である。
【図５】ペグを示す斜視図である。
【図６】ペグがハウジングに支持された状態を示す断面図である。
【図７】ペグがハウジングに対して変位された状態を示す断面図である。
【発明を実施するための形態】
【０００９】
図１〜図７を用いて、本発明の実施形態に係るコネクタ構造が適用されたコネクタ１０について説明する。
【００１０】
図１に示されるように、本実施形態のコネクタ１０は、図示しない複数のコネクタピンを支持するハウジング１２と、ハウジング１２に取付けられた４本のペグ１４と、を備えている。
【００１１】
図２に示されるように、ハウジング１２は、樹脂材料を用いて形成されている。このハウジング１２は、有底箱状に形成された矩形状のハウジング本体部１６を備えている。このハウジング本体部１６は、互いに平行に延在する矩形板状の上壁部１８及び下壁部２０を備えている。また、ハウジング本体部１６は、上壁部１８の長手方向一方側の端部と下壁部２０の長手方向一方側の端部とをつなぐ第１側壁部２２と、上壁部１８の長手方向他方側の端部と下壁部２０の長手方向他方側の端部とをつなぐ第２側壁部２４と、を備えている。さらに、ハウジング本体部１６は、上壁部１８、下壁部２０、第１側壁部２２及び第２側壁部２４によって形成された筒状の空間の一方側を閉止する図示しない底壁部を備えている。そして、上壁部１８、下壁部２０、第１側壁部２２、第２側壁部２４及び図示しない底壁部によって、相手側コネクタが挿入されるコネクタ挿入凹部２６が形成されている。なお、コネクタ挿入凹部２６の底部を形成する底壁部には、複数のコネクタピンを支持するコネクタピン支持部が設けられている。
【００１２】
また、ハウジング１２は、ハウジング本体部１６の第１側壁部２２における下壁部２０側からコネクタ挿入凹部２６とは反対側へ向けて突出する矩形ブロック状の第１ペグ取付部２８と、ハウジング本体部１６の第２側壁部２４における下壁部２０側からコネクタ挿入凹部２６とは反対側へ向けて突出する矩形ブロック状の第２ペグ取付部３０と、を備えている。この第１ペグ取付部２８及び第２ペグ取付部３０に、後述するペグ１４が２本ずつ取付けられている。なお、４本のペグ１４がそれぞれ取付けられる部分の構成は、互いに同一の構成とされている。そのため、以下の説明においては、第１ペグ取付部２８において１本のペグ１４が取付けられる部分について説明し、他の３本のペグ１４が取付けられる部分の説明は省略する。
【００１３】
図２及び図３に示されるように、第１ペグ取付部２８には、上壁部１８側から下壁部２０側へ貫通されていると共にペグ１４が挿通されるペグ挿通孔３２が形成されている。このペグ挿通孔３２における上壁部１８側の部分は、後述するペグ１４の被支持部５２（図４参照）の外径よりも大きな内径とされた上側挿通部３４とされている。また、ペグ挿通孔３２における下壁部２０側の部分は、後述するペグ１４の被支持部５２（図４参照）の外径よりも小さな内径とされた下側挿通部３６とされている。さらに、ペグ挿通孔３２における上側挿通部３４と下側挿通部３６との間の部位は、ペグ１４の被支持部５２が支持される支持部３８とされている。この支持部３８においてペグ１４の被支持部５２と接触する面は、ペグ１４の被支持部５２を球面支持するために当該被支持部５２の外径に対応する球面状に形成されている。なお、支持部３８と上側挿通部３４との境界部は、その内径が上側挿通部３４側に向かうにつれて次第に拡径された拡径部４０とされている。
【００１４】
また、第１ペグ取付部２８には、ペグ挿通孔３２の支持部３８と連通された連通孔４２が形成されている。この連通孔４２の内周面における支持部３８側かつ上側挿通部３４側の部分からは、ペグ挿通孔３２に挿通されたペグ１４が当該ペグ挿通孔３２から抜出すことを抑制する抜止部４４が突出している。この抜止部４４は、連通孔４２の内周面から下側挿通部３６側へ向けて延びる基部４６と、基部４６における下側挿通部３６側から支持部３８側に向けて延びる先端凸部４８と、を備えている。この先端凸部４８における上側挿通部３４側の面は、下側挿通部３６側に向かうにつれて支持部３８側へ傾斜された傾斜面５０とされている。
【００１５】
図５に示されるように、ペグ１４は、黄銅等を用いて形成された線材を用いて形成されている。具体的には、所定に長さに切断された線材が軸方向に圧縮されることによって、長手方向の中間部に球状の被支持部５２を有する針状のペグ１４が形成されている。
【００１６】
また、ペグ１４の長手方向一方側の端部は、回路基板に形成されたスルーホールに挿通された状態で当該回路基板にハンダ付けで接合される被接合部５４とされている。さらに、ペグ１４の長手方向他方側の端部は、調節力入力部５６とされている。なお、被接合部５４及び調節力入力部５６の端部は、被支持部５２とは反対側へ向かうにつれて窄まる窄み部５８、６０とされている。
【００１７】
図６に示されるように、以上説明したペグ１４は、以下の手順によりハウジング１２の第１ペグ取付部２８に取付けられる。先ず、ペグ１４の被接合部５４をペグ挿通孔３２における上側挿通部３４側から挿入すると、ペグ１４の被支持部５２が、抜止部４４の先端凸部４８の傾斜面５０に当接する。そしてさらに、ペグ１４をペグ挿通孔３２に挿入すると、抜止部４４の基部４６がペグ１４とは反対側へ撓むことにより、ペグ１４の被支持部５２が、抜止部４４の先端凸部４８を乗越えた後に支持部３８と当接する。そして、ペグ１４の被支持部５２が、抜止部４４の先端凸部４８を乗越えた後においては、ペグ１４の被支持部５２の上側挿通部３４側への移動が抜止部４４の先端凸部４８によって規制されると共に、ペグ１４の被支持部５２が支持部３８に面当接した状態が保持される。
【００１８】
図６及び図７に示されるように、ペグ１４がハウジング１２の第１ペグ取付部２８に取付けられた状態では、当該ペグ１４の被接合部５４がペグ挿通孔３２における下側挿通部３６から突出していると共に、ペグ１４の調節力入力部５６がペグ挿通孔３２における上側挿通部３４から突出している。
【００１９】
（本実施形態の作用並びに効果）
次に、本実施形態の作用並びに効果について説明する。
【００２０】
図７に示されるように、上説明した本実施形態のコネクタ１０では、４本のペグ１４の各々の被接合部５４が回路基板に形成されたスルーホールに挿通された状態で当該回路基板にハンダ付けで接合される。これにより、コネクタ１０が回路基板に取付けられる。
【００２１】
ここで、本実施形態のコネクタ１０では、ハウジング１２が樹脂製とされている。そのため、ハウジング１２の成形時に、ハウジング１２の形状及び寸法がバラつくことが考えられる。一例として、ハウジング１２を多数の金型で製造する場合、金型毎に成形後のハウジング１２の形状や寸法がバラつくことが考えられる。また、一つの金型で多数のハウジング１２を製造する場合、金型のキャビティ毎に成形後のハウジング１２の形状や寸法がバラつくことが考えられる。その結果、４本のペグ１４の各々の被接合部５４の位置が、回路基板に形成されたスルーホールの位置に対してずれることが考えられる。この場合、ペグ１４の調節力入力部５６に治具を係合させて当該ペグ１４の被接合部５４をハウジング１２に対して変位（回動）させる。これにより、ハウジング１２に対するペグ１４の取付姿勢が調節されて、４本のペグ１４の各々の被接合部５４の位置を回路基板に形成されたスルーホールの位置に対応させることができる。
【００２２】
また、本実施形態では、ペグ１４の被支持部５２がハウジング１２の支持部３８に球面支持されていることにより、ペグ１４の被接合部５４をハウジング１２に対して回路基板が延在する方向の２軸（図７に示された矢印Ｘ及び矢印Ｙ方向）に変位させることができる。
【００２３】
さらに、本実施形態では、ペグ１４が黄銅等を用いて形成された線材に圧縮加工が施されることによって形成されている。そのため、ペグ１４の製造時の歩留まりをほぼ１００％にすることができる。
【００２４】
なお、本実施形態では、ペグ１４の調節力入力部５６に治具を係合させることで、ハウジング１２に対するペグ１４の取付姿勢を調節した例について説明したが、本発明はこれに限定されない。例えば、調節力入力部５６と対応する部分を有していないペグ１４においては、ペグ１４の被接合部５４を直接動かすことで、ハウジング１２に対するペグ１４の取付姿勢を調節してもよい。
【００２５】
また、本実施形態では、ペグ１４の被支持部５２をハウジング１２の支持部３８に球面支持させた例について説明したが、本発明はこれに限定されない。例えば、ハウジング１２の形状及び寸法のバラつきが特定の方向に生じる場合においては、ペグ１４の被接合部５４が当該特定の方向に変位するように、ペグ１４をハウジング１２に支持させればよい。
【００２６】
以上、本発明の一実施形態について説明したが、本発明は、上記に限定されるものでなく、その主旨を逸脱しない範囲内において上記以外にも種々変形して実施することが可能であることは勿論である。
【符号の説明】
【００２７】
１０   コネクタ
１２   ハウジング
１４   ペグ
４４   抜止部
５２   被支持部
５４   被接合部
５６   調節力入力部
【図１】
2019032937.tif 000003
【図２】
2019032937.tif 000004
【図３】
2019032937.tif 000005
【図４】
2019032937.tif 000006
【図５】
2019032937.tif 000007
【図６】
2019032937.tif 000008
【図７】
2019032937.tif 000009